(57)【要約】【課題】製造コストの増大を防止しつつ、遠隔地にある被写体を１〜数秒間隔といった短いスパンでも撮像することができ、信頼性を向上することができる光給電型カメラ装置を提供する。【解決手段】光給電型カメラ装置５の電源回路１２は、ＰＤ２１からの電力を蓄電するコンデンサ等の蓄電部２２と、蓄電部２２の電圧を検出する電圧検出部２４と、蓄電部２２と出力ポート２６の間に設けられたスイッチ２５と、電圧検出部２４、スイッチ２５、入力ポート２８およびタイマ２９に接続され、電源回路の動作を制御する制御部２７とを有する。制御部２７は、電圧検出部２４で検出された蓄電部２２の電圧が所定電圧であるときに撮像回路１３への電力供給を行い、出力回路１４から画像出力完了を示す信号を受信したときに、撮像回路１３への電力供給を停止する。【選択図】図３
2014143492.tif 000002
【特許請求の範囲】
【請求項１】
光伝送路を介して光を受けることにより電力が供給される光給電型カメラ装置であって、
前記光伝送路を介して伝送された光を電力に変換する光／電力変換手段と、
前記光／電力変換手段から受けた電力を蓄える蓄電手段と、
前記蓄電手段の電圧を検出する電圧検出手段と、
前記蓄電手段によって蓄えられた電力に基づいて撮像動作を実行する撮像手段と、
前記撮像手段にて撮像されて得られた画像信号を外部に出力すると共に、画像出力完了を示す信号を出力する画像出力手段と、
前記電圧検出手段および前記画像出力手段からの信号に基づいて、前記撮像手段に供給する電力を制御する制御手段とを備え、
前記制御手段は、前記電圧検出手段で検出された前記蓄電手段の電圧が所定値以上であるときに前記蓄電手段から前記撮像手段への電力供給を行い、前記画像出力手段から画像出力完了を示す信号を受信したときに、前記撮像手段への電力供給を停止することを特徴とする、光給電型カメラ装置。
【請求項２】
前記制御手段は、前記蓄電手段と前記撮像手段の間に設けられたスイッチを有し、前記前記蓄電手段の電圧が所定値以上であるときに前記スイッチをＯＮにし、前記画像出力手段から画像出力完了を示す信号を受信したときに前記スイッチをＯＦＦにすることを特徴とする、請求項１記載の光給電型カメラ装置。
【請求項３】
前記制御手段は、所定時間を計測するタイマを有し、前記スイッチをＯＦＦにしたときから所定時間が経過したときに前記スイッチを再びＯＮにして、前記撮像手段への電力供給を再開することを特徴とする、請求項２記載の光給電型カメラ装置。
【請求項４】
外部に光を送出するセンタ装置と、該センタ装置に光伝送路を介して接続された光給電型カメラ装置とを備える光給電型カメラシステムであって、
前記光給電型カメラ装置は、
第１光伝送路を介して伝送された光を電力に変換する光／電力変換手段と、
前記光／電力変換手段から受けた電力を蓄える蓄電手段と、
前記蓄電手段の電圧を検出する電圧検出手段と、
前記蓄電手段によって蓄えられた電力に基づいて撮像動作を実行する撮像手段と、
前記撮像手段にて撮像されて得られた画像信号を前記センタ装置に出力すると共に、画像出力完了を示す信号を出力する画像出力手段と、
前記電圧検出手段および前記画像出力手段からの信号に基づいて、前記撮像手段に供給する電力を制御する制御手段とを備え、
前記制御手段は、前記電圧検出手段で検出された前記蓄電手段の電圧が所定値以上であるときに前記撮像手段への電力供給を行い、前記画像出力手段から画像出力完了を示す信号を受信したときに、前記撮像手段への電力供給を停止し、
前記センタ装置は、
前記第１光伝送路を介して光を前記光／電力変換手段に送出する光源ユニットと、画像出力手段から出力された光を第２光伝送路を介して受ける受信手段とを有すること、
を特徴とする、光給電型カメラシステム。
【請求項５】
前記センタ装置に接続され、前記受信手段で受けた画像信号に応じた画像を表示する表示手段を更に備えることを特徴とする、請求項５記載の光給電型カメラシステム。
【発明の詳細な説明】
【技術分野】
【０００１】
本発明は、山、河川あるいはダム近傍などの遠隔地に設置された光給電型カメラ装置に関し、特に、外部から光ファイバを介して電力が供給される光給電型カメラ装置、および該光給電型カメラ装置を備える光給電型カメラシステムに関する。
【背景技術】
【０００２】
従来、光給電型システムは、例えば電力供給元であるセンタ装置と、該センタ装置に接続された電力供給先である端末装置とで構成され、センタ装置から光ファイバを介して端末装置に電力を供給することで、端末装置の動作が可能となっている。
【０００３】
図８は、従来の光給電型システムの構成の一例を示すブロック図である。
図８において、従来の光給電型システムは、センサユニット８０と、該センサユニットと光ファイバを介して接続された測定装置９０とで構成されている。センサユニット８０は、水中の溶存酸素等の物理量を測定するセンサ８２と、センサ８２に接続されてセンサ８２の出力信号に応じた光信号を出力する光出力器８３と、センサ８２に電気エネルギーを供給する光−電力変換器８４とを有している。
【０００４】
本光給電型システムにおいて、測定装置９０の光源９５から出た連続光は、光ファイバを介して光方向性結合器９１の入出力ポート９１ｃに入射した後にその内部で光路がシフトされて入出力ポート９１ａから出力され、さらに光ファイバ内を伝搬して第１の光方向性結合器８６の入出力ポート８６ｃに入力する。入出力ポート８６ｃに入射した光は、電力供給用光として入出力ポート８６ａから光ファイバ内を伝搬して光−電力変換器８４に照射される。光−電力変換器８４は、入射した光のエネルギーを電気エネルギーに変換してセンサ８２に電力を供給し、これによりセンサ８２にて所定の物理量が測定される。
【先行技術文献】
【特許文献】
【０００５】
【特許文献１】特許第４８５１３３０号公報
【発明の概要】
【発明が解決しようとする課題】
【０００６】
さて近年、天変地異による災害を防止する観点から、現地で電力を得ることが困難な遠隔地にカメラを設置し、山、河川あるいはダムなどの被写体を長時間かつできるだけ短いスパンで撮像したいといったニーズがある。しかしながら、上記従来の光給電型システムは、所定の物理量を測定するためのセンサに電力を供給する構成であり、当該センサで消費される電力は比較的小さい。よって、消費電力が大きいカメラ等の撮像装置が電力供給先として使用される場合、電力不足による動作信頼性の低下を招くこととなる。特に、１〜数秒間隔といった短いスパンで撮像して画像を外部に送信する場合には、撮像装置の消費電力が増大し、電力供給が更に不足することとなる。一方、電力供給元である装置の給電能力を増大させようとすると、光源パワーを増大させる必要があり、大幅に製造コストが増大することとなる。
【０００７】
本発明の目的は、製造コストの増大を防止しつつ、遠隔地にある被写体を１〜数秒間隔といった短いスパンでも撮像することができ、信頼性を向上することができる光給電型カメラ装置および光給電型カメラシステムを提供することにある。
【課題を解決するための手段】
【０００８】
上記目的を達成するために、本発明の光給電型カメラ装置は、光伝送路を介して光を受けることにより電力が供給される光給電型カメラ装置であって、前記光伝送路を介して伝送された光を電力に変換する光／電力変換手段と、前記光／電力変換手段から受けた電力を蓄える蓄電手段と、前記蓄電手段の電圧を検出する電圧検出手段と、前記蓄電手段によって蓄えられた電力に基づいて撮像動作を実行する撮像手段と、前記撮像手段にて撮像されて得られた画像信号を外部に出力すると共に、画像出力完了を示す信号を出力する画像出力手段と、前記電圧検出手段および前記画像出力手段からの信号に基づいて、前記撮像手段に供給する電力を制御する制御手段とを備え、前記制御手段は、前記電圧検出手段で検出された前記蓄電手段の電圧が所定値以上であるときに前記蓄電手段から前記撮像手段への電力供給を行い、前記画像出力手段から画像出力完了を示す信号を受信したときに、前記撮像手段への電力供給を停止することを特徴とする。
【０００９】
好ましくは、前記制御手段は、前記蓄電手段と前記撮像手段の間に設けられたスイッチを有し、前記前記蓄電手段の電圧が所定値以上であるときに前記スイッチをＯＮにし、前記画像出力手段から画像出力完了を示す信号を受信したときに前記スイッチをＯＦＦにする。
【００１０】
また好ましくは、前記制御手段は、所定時間を計測するタイマを有し、前記スイッチをＯＦＦにしたときから所定時間が経過したときに前記スイッチを再びＯＮにして、前記撮像手段への電力供給を再開することを特徴とする。
【００１１】
また、上記目的を達成するために、本発明の光給電型カメラシステムは、外部に光を送出するセンタ装置と、該センタ装置に光伝送路を介して接続された光給電型カメラ装置とを備える光給電型カメラシステムである。前記光給電型カメラ装置は、第１光伝送路を介して伝送された光を電力に変換する光／電力変換手段と、前記光／電力変換手段から受けた電力を蓄える蓄電手段と、前記蓄電手段の電圧を検出する電圧検出手段と、前記蓄電手段によって蓄えられた電力に基づいて撮像動作を実行する撮像手段と、前記撮像手段にて撮像された画像を前記センタ装置に出力すると共に、画像出力完了を示す信号を出力する画像出力手段と、前記電圧検出手段および前記画像出力手段からの信号に基づいて、前記撮像手段に供給する電力を制御する制御手段とを備え、前記制御手段は、前記電圧検出手段で検出された前記蓄電手段の電圧が所定値以上であるときに前記撮像手段への電力供給を行い、前記画像出力手段から画像出力完了を示す信号を受信したときに、前記撮像手段への電力供給を停止することを特徴とする。前記センタ装置は、前記第１光伝送路を介して光を前記光／電力変換手段に送出する光源ユニットと、画像出力手段から出力された光を第２光伝送路を介して受ける受信手段とを有することを特徴とする。
【００１２】
好ましくは、前記光給電型カメラシステムは、前記センタ装置に接続され、前記受信手段で受けた画像信号に応じた画像を表示する表示手段を更に備える。
【発明の効果】
【００１３】
本発明によれば、電圧検出手段で検出された蓄電手段の電圧が所定値以上であるときに、撮像手段への電力供給が行われ、画像出力手段から画像出力完了を示す信号を受信したときに、蓄電手段から撮像手段への電力供給が停止される。すなわち、前回の撮像動作に伴う画像出力完了後に蓄電手段で電力を蓄え、当該蓄電手段の電圧が所定電圧となったときに再び撮像動作を実行するので、撮像手段の消費電力が大きい場合でも、正常な撮像動作に必要な電力を常に撮像手段に供給することができる。また、１〜数秒間隔といった短いスパンで撮像して画像を外部に送信する場合にも、上記制御を実行することで、撮像回路への十分な電力供給を行うことができる。また、光給電型カメラ装置の構成にて電力供給の不足を防止することが可能であるため、電力供給元である装置の給電能力を増大させる必要もない。
【００１４】
また、蓄電手段の電圧が所定電圧となり、かつ蓄電手段から撮像手段への電力供給を停止してから所定時間が経過したときに、前記撮像手段への電力供給を再開するので、光源の光パワーの変動や各種部材の経年劣化等に因らず、長期に亘って一定間隔で撮像動作を実行することが可能となる。
【００１５】
したがって、製造コストの増大を防止しつつ、遠隔地にある被写体を１〜数秒間隔といった短いスパンでも撮像することができ、信頼性を向上することができる。
【図面の簡単な説明】
【００１６】
【図１】本発明の第１実施形態に係る光給電型カメラシステムの構成を概略的に示す図である。
【図２】図１の光給電型カメラ装置の構成を示すブロック図である。
【図３】図２の電源回路の構成を示す回路図である。
【図４】図２の給電型カメラ装置で実行される電源制御処理を示すフローチャートである。
【図５】図４の電源制御処理を繰り返して実行した場合の蓄電部の電圧変化を示すグラフである。
【図６】本発明の第２実施形態に係る光給電型カメラシステムの構成を概略的に示す図である。
【図７】本発明の第３実施形態に係る光給電型カメラシステムの構成を概略的に示す図である。
【図８】従来の光給電型システムの構成の一例を示す図である。
【発明を実施するための形態】
【００１７】
以下、本発明の実施形態を図面を参照しながら詳細に説明する。
【００１８】
図１は、本発明の第１実施形態に係る光給電型カメラシステムの構成を概略的に示す図であり、図２は、図１の光給電型カメラ装置の構成を示すブロック図である。なお、図１における光給電型カメラシステムは、その一例を示すものであり、本発明に係る光給電型カメラシステムおよび光給電型カメラ装置の構成は、図１，図２のものに限られないものとする。
【００１９】
本発明の光給電型カメラシステム１は、センタ装置２と、センタ装置２に線路３を介して接続されたモニタ４と、センタ装置２に光伝送路６，７を介して接続された光給電型カメラ装置５とを備えている。本実施形態の光給電型カメラシステム１は、光給電装置であるセンタ装置２から光給電型カメラ装置５に電力供給を行い、光給電型カメラ装置５にて撮像した画像を信号処理して画像信号とし、該画像信号をＥ／Ｏ変換してセンタ装置２に出力し、センタ装置２にてＯ／Ｅ変換して画像信号を出力し、モニタ４にて当該画像を表示する構成となっている。
【００２０】
具体的には、センタ装置２は、光伝送路６を介して光を光給電型カメラ装置５に送出する光源ユニット８と、光給電型カメラ装置５から出力された光を光伝送路７を介して受信する受信装置９とを有している。光給電型カメラ装置５は、例えば、現地で電力を得ることが困難な遠隔地に設置される。光伝送路６は、電力供給用の光ファイバで構成されており、例えば長さ１０ｋｍ〜２０ｋｍのシングルモードファイバ（ＳＭＦ）等である。光伝送路７は、画像信号送信用の光ファイバであり、例えば長さ１０ｋｍ〜２０ｋｍである。
【００２１】
センタ装置２の光源ユニット８（光源）は、例えば出力４００ｍＷ、波長１４８０ｎｍの光を出力するＬＤで構成され、当該光を光給電型カメラ装置５に送出することで、該光給電型カメラ装置５に給電を行う。光給電型カメラ装置５は、光源ユニット８から送出された光を受けて、所定スパンで撮像動作を実行する。本実施形態では、例えば有効画素数６４０×４８０の撮像素子が使用される。また光給電型カメラ装置５は、撮像動作によって得られた画像信号を光に変換し、例えば波長１３１０ｎｍの光をセンタ装置２の受信装置９に随時出力する。受信装置９は、光給電型カメラ装置５からの画像信号を線路３を介してモニタ４に送信する。モニタ４は、受信装置９から送信された画像を表示する。ここで、図１では、光伝送路６，７は別々のものとして記載されているが、１本のＳＭＦ等で構成し、１４８０ｎｍと１３１０ｎｍの光を合分波するＷＤＭカプラ等をその両端に設けてセンタ装置２と光給電型カメラ装置５の入出力端の光伝送路６，７と接続させても良い。
【００２２】
光給電型カメラ装置５は、図２に示すように、光給電用ＰＤ１１（光／電力変換手段）、電源回路１２（制御手段）、撮像回路１３（撮像手段）、出力回路１４（画像出力手段）、出力用ＬＤ１５を有している。なお本実施形態では、説明の便宜上、光給電用ＰＤ１１が電源回路１２と別個に設けられているが、光給電用ＰＤが電源回路１２に設けられてもよい。
【００２３】
光給電用ＰＤ１１は、センタ装置２の光源ユニット８から送出された光を電力に変換して電源回路１２に出力する。電源回路１２は、光給電用ＰＤ１１から出力された電力を撮像回路１３および後述の出力回路に出力すると共に、撮像回路１３に出力する電力を制御する。
【００２４】
また、撮像回路１３は、電源回路１２から出力された電力に基づいて撮像動作を実行し、当該撮像動作にて得られた画像信号を出力回路１４に出力する。そして撮像回路１３は、出力回路１４への画像信号出力が完了すると、当該画像信号が出力回路１４に出力されたことを示す画像出力完了信号を電源回路１２に出力する。出力回路１４は、撮像回路１３から出力された画像信号を出力用ＬＤ１５に出力する。出力用ＬＤ１５は、出力回路１４からの画像信号を光に変換して、センタ装置２の受信装置９に出力する。
【００２５】
図３は、図２の電源回路１２の構成を示す回路図である。
【００２６】
図３において、電源回路１２は、ＰＤ２１からの電力を蓄電するコンデンサ等の蓄電部２２と、電源用ＩＣ２３と、蓄電部２２の電圧を検出する電圧検出部２４と、蓄電部２２と出力ポート２６の間に設けられたＦＥＴ等のスイッチ２５と、電源用ＩＣ２３、電圧検出部２４、スイッチ２５、入力ポート２８およびタイマ２９に接続され、電源回路の動作を制御するＭＰＵ等の制御部２７とを有している。
【００２７】
ＰＤ２１は、図２の光給電用ＰＤ１１に対応するものであり、光源ユニット８から出力された連続光を受光する。ＰＤ２１の給電能力は、例えば約７５ｍＷである。蓄電部２２に蓄電される電力はＰＤ１１の給電能力に依存し、蓄電部２２の最大電圧は、例えば３．９Ｖである。
【００２８】
電圧検出部２４は、蓄電部２２の電圧を検出し、検出電圧に応じた信号を制御部２７に送信する。また、スイッチ２５は、制御部２７から送信された信号に応じてＯＮ／ＯＦＦを切り替える。本実施形態では、スイッチ２５がＯＮ状態のとき、蓄電部２２の電力が出力ポート２６に供給され、スイッチ２５がＯＦＦ状態のとき、蓄電部２２の電力が出力ポート２６に供給されない構成となっている。出力ポート２６は撮像回路１３に接続されており、スイッチ２５がＯＮ状態のとき、蓄電部２２の電力が出力ポート２６を介して撮像回路１３に出力される。入力ポート２８は撮像回路１３に接続されており、撮像回路１３から１画像に対応する画像信号が出力回路１４に出力され、その後撮像回路１３から画像出力完了信号を受信する。
【００２９】
制御部２７は、電圧検出部２４から出力された信号とタイマ２９から出力された信号とに基づいて、スイッチ２５をＯＮにする。また、制御部２７は、撮像回路１３から送信された画像出力完了信号に応じてスイッチ部２５をＯＦＦにする。
【００３０】
ここで、上記のように構成される光給電型カメラシステム１では、光給電型カメラ装置５の消費電力が約２５０ｍＷである場合には、上述のようにＰＤ２１からの供給電力が約７５ｍＷであることから、光給電型カメラ装置５への電力供給が十分でないこととなる。この点を解消するべく、本発明では、センタ装置２から供給される小さい電力を蓄電部２２にて蓄電し、この蓄電電圧を間欠的に使用することで、光給電型カメラ装置５での確実な撮像動作を実現している。
【００３１】
次に、図２の光給電型カメラ装置５で実行される電源制御処理を、図４のフローチャートを用いて説明する。
【００３２】
図４において、先ず制御部２７は、蓄電部２２、すなわち蓄電用コンデンサの電圧を監視し（ステップＳ４１）、検出電圧が所定電圧以上である否かを判定する（ステップＳ４２）。検出電圧が所定値以上であれば、制御部２７はスイッチ２５をＯＮにする。これにより、蓄電部２２の電力が撮像回路１３に供給され、撮像回路１３にて１画像分の撮像動作が実行される（ステップＳ４３）。上記撮像動作が実行されると、撮像回路１３は、１画像に対応する画像信号を出力回路１４に出力すると共に、画像出力完了信号を電源回路１２に出力する（ステップＳ４４）。そして制御部２７は、画像出力完了信号を受信すると、スイッチ２５をＯＦＦにし、蓄電部２２から撮像回路１３への電力供給を停止する（ステップＳ４５）。その後、制御部２７は、スイッチ２５をＯＦＦにしたときから所定時間が経過しているか否かを判定する（ステップＳ４６）。所定時間が経過していれば一旦本処理を終了し、その後上記ステップＳ４１，Ｓ４２の処理を実行して、蓄電部２２への電力供給を再開する。
【００３３】
図５は、図４の電源制御処理を繰り返して実行した場合の蓄電部の電圧変化を示すグラフである。
【００３４】
図５のグラフに示すように、蓄電部２２の電圧０Ｖの初期状態から、スイッチ２５のＯＦＦ状態でＰＤ２１にて連続光を受けると、蓄電部２２の電圧Ｖは上昇していく。そして、蓄電部２２の電圧Ｖが、所定電圧、例えば撮像回路１３が確実に動作可能な電圧３．３Ｖに達したときにスイッチ２５がＯＮとなり、撮像回路１３のカメラが所定期間動作する（図中の符号５１）。この１回目の撮像動作の実行により、所定期間５１の間に電圧Ｖが下降する。このとき、撮像動作終了後の蓄電部２２の電圧Ｖは、撮像回路１３が正常に動作する最低電圧２．９Ｖよりも大きいため、当該撮像動作は正常に行われる。
【００３５】
なお、蓄電部２２の電圧上昇量ΔＶ１と１回の撮像動作による電圧降下量ΔＶ２はいずれも推定可能なため、撮像動作終了後の蓄電部２２の電圧Ｖが、撮像回路１３が正常に動作する最低電圧よりも大きくなるように、１回目の撮像動作が実行される。
【００３６】
その後、画像出力完了信号に基づいてスイッチ２５がＯＦＦになると、蓄電部２２の電圧Ｖは再び上昇し、ＰＤ２１の最大電圧、例えば３．９Ｖに到達する。スイッチ２５がＯＦＦになってから電圧Ｖが３．９Ｖになるまでの期間（図中の符号５２）は、タイマ２９によって設定された期間であり、この期間中撮像回路１３のカメラは動作しない。そして、２回目の撮像動作が実行されると、１回目の撮像動作と同様に電圧Ｖが下降する。以後、蓄電部２２の電圧Ｖが３．９Ｖに到達したときに撮像動作を実行することで、正常な撮像動作が繰り返して実行され、被写体画像が所定間隔で更新される。
【００３７】
また、蓄電部２２の電圧Ｖのみを入力パラメータとして撮像動作を制御すると、ＰＤ２１に供給される光パワーの変動や各種部材の経年劣化等の影響により、撮像動作のタイミングにばらつきが生じることがある。この場合には、蓄電部２２の電圧Ｖが３．９Ｖに到達し、かつタイマ２９にて計測された所定時間が経過したときに撮像動作を実行すれば、正常な撮像動作を一定間隔で確実に実行することが可能となる。
【００３８】
なお本実施形態で設定される所定電圧は３．９Ｖであるが、これに限らず、撮像回路１３が正常に動作する最低電圧に、１回の撮像動作による電圧降下量ΔＶ２を加えた値以上の値を、所定電圧として設定してもよい。
【００３９】
本発明では、上記蓄電部の電圧監視およびインターバル制御により、例えば光伝送路６，７の長さが１０ｋｍの場合、センタ装置２の光源出力４００ｍＷ、線路損失−０．３ｄＢ／Ｋｍの条件で、画像更新時間１．０秒以下を実現し、また、光伝送路６，７の長さ２０ｋｍでは、同条件で画像更新時間１．５秒以下を実現している。
【００４０】
上述したように、本実施形態によれば、制御部２７は、電圧検出部２４で検出された蓄電部２２の電圧が所定電圧であるときに撮像回路１３への電力供給を行い、出力回路１４から画像出力完了を示す信号を受信したときに、撮像回路１３への電力供給を停止する。すなわち、前回の撮像動作に伴う画像出力完了後に蓄電部２２で電力を蓄え、当該蓄電部の電圧が所定電圧となったときに再び撮像動作を実行するので、撮像回路１３の消費電力が大きい場合でも、正常な撮像動作に必要な電力を常に撮像回路１３に供給することができる。また、１〜数秒間隔といった短いスパンで撮像して画像を外部に送信する場合にも、上記制御を実行することで、撮像回路１３への十分な電力供給を行うことができる。また、光給電型カメラ装置５の構成にて電力供給の不足を防止することが可能であるため、センタ装置２の給電能力を増大させる必要もない。
【００４１】
また、蓄電部２２の電圧が所定電圧となり、かつ蓄電部から撮像回路１３への電力供給を停止してから所定時間が経過したときに、撮像回路１３への電力供給を再開するので、光源ユニット８の光パワーの変動や各種部材の経年劣化等に因らず、長期に亘って一定間隔で撮像動作を実行することが可能となる。さらに、本システムでは金属線を使用しないため、光給電型カメラ装置５を落雷、電磁誘導、ノイズ等の影響を受けやすい場所に設置しても、落雷による破壊や、ノイズ等の影響による不具合を軽減することができる。また、既設の光ファイバ線路を使用することができ、光給電型カメラ装置５を簡便かつ安価に設置することができる。
【００４２】
図６は、本発明の第２実施形態に係る光給電型カメラシステムの構成を概略的に示す図である。なお、本実施形態における光給電型カメラシステムの構成は、第１実施形態の光給電型カメラシステムの構成と同じであり、同一の構成要素には同一の符号を付し、以下に異なる部分を説明する。
【００４３】
図６の光給電型カメラシステムは、センタ装置と光給電型カメラ装置との間に設けられた光分配器６３を備えており、この光分配器６３にてセンタ装置から送出された光を等分し、光給電型カメラ装置に送出している。
【００４４】
本実施形態における光給電型カメラ装置の電源回路６０は、ＰＤ６１，ＰＤ６２を有しており、ＰＤ６１，ＰＤ６２は、光分配器６３に２つの光伝送路を介して接続され、光分配器６３によって分配された光（波長：１４８０ｎｍ）をそれぞれ受光する。この場合、分配前の光強度は１つのＰＤの最大受光量より大きく、分配後の光強度は１つのＰＤの最大受光量より小さくすると良い。すなわち本構成では、ＰＤを２つ設けることで、蓄電部２２の電圧Ｖをより速い間隔でＰＤの最高電圧（３．９Ｖ）にすることができ、正常な撮像動作をより短い間隔で繰り返し実行することが可能となる。
【００４５】
なお図６ではＰＤが２つ設けられる構成を例にとって示したが、これに限らず、３個以上のＰＤが設けられてもよい。この場合、光分配器は、センタ装置から送出された光を、ＰＤの数に応じて分配（例えば等分）する構成となる。
【００４６】
図７は、本発明の第３実施形態に係る光給電型カメラシステムの構成を概略的に示す図である。第１実施形態では、タイマ２９が光給電型カメラ装置５の電源回路１２内に設けられているが（図３）、本実施形態では、タイマの設定および調整をセンタ装置で行う構成となっている。
【００４７】
図７の光給電型カメラシステムは、波長１４８０ｎｍの光を送出する電力用光源ユニット７３と、波長１５５０ｎｍの光を送出する信号用光源ユニット７４と、電力用光源ユニット７３および信号用光源ユニット７４からのそれぞれの光を合波するＷＤＭカプラ７５と、ＷＤＭカプラ７５から送出された光を、波長１４８０ｎｍと波長１５５０ｎｍの光に分波するＷＤＭカプラ７６とを備えている。ＭＰＵ２７には外部に設けられた不図示のタイマが接続されており、タイマ設定値に応じた信号が信号用光源ユニット７４で波長１５５０ｎｍの光に変換され、光給電型カメラ装置に送出される。
【００４８】
本実施形態における光給電型カメラ装置の電源回路７０は、ＰＤ７１，ＰＤ７２を有しており、ＰＤ７１は、ＷＤＭカプラ７６によって分波された波長１４８０ｎｍの光を受光し、ＰＤ７２は、ＷＤＭカプラ７６によって分波された波長１５５０ｎｍの光を受光する。ＰＤ７２は制御部２７に接続されており、受光した光を信号に変換して制御部２７に送信する。
【００４９】
本構成によれば、タイマ設定値に応じた光信号がセンタ装置から光給電型カメラ装置に送出されるので、タイマ設定あるいは調整をセンタ装置側で行うことができる。よって、光給電型カメラ装置を遠隔地に設置する際、作業者が遠隔地でタイマ設定や調整を行う時間を省くことができ、また、光給電型カメラ装置を設置してから長期間が経過した後に画像更新時間の調整を行う場合に、作業者が再度遠隔地に行く必要がない。よって、正常な撮像動作を一定間隔で確実に実行することができ、かつ利便性が格段に向上する光給電型カメラシステムを提供することができる。
【００５０】
以上、上記実施形態に係る光給電型カメラ装置および光給電型カメラシステムについて述べたが、本発明は記述の実施形態に限定されるものではなく、本発明の技術思想に基づいて各種の変形および変更が可能である。
【符号の説明】
【００５１】
１  光給電型カメラシステム
２  センタ装置
３  線路
４  モニタ
５  光給電型カメラ装置
６，７  光伝送路
８  光源ユニット
９  受信装置
１１  光給電用ＰＤ
１２  電源回路
１３  撮像回路
１４  出力回路
１５  出力用ＬＤ
２１  ＰＤ
２２  蓄電部
２３  電源用ＩＣ
２４  電圧検出部
２５  スイッチ
２６  出力ポート
２７  制御部
２８  入力ポート
２９  タイマ
６０  電源回路
６１  ＰＤ
６２  ＰＤ
６３  光分配器
７０  電源回路
７１  ＰＤ
７２  ＰＤ
７３  電力用光源ユニット
７４  信号用光源ユニット
７５  ＷＤＭカプラ
７６  ＷＤＭカプラ
【図１】
2014143492.tif 000003
【図２】
2014143492.tif 000004
【図３】
2014143492.tif 000005
【図４】
2014143492.tif 000006
【図５】
2014143492.tif 000007
【図６】
2014143492.tif 000008
【図７】
2014143492.tif 000009
【図８】
2014143492.tif 000010